(57)【特許請求の範囲】
【請求項１】
動画を示す動画情報および静止画を示す静止画情報が記憶されたＤＶＤから動画情報または静止画情報を読出すＤＶＤドライブと、
静止画情報が記憶されたＲＯＭと、
前記ＤＶＤドライブおよびＲＯＭを制御するＣＰＵと、
前記ＣＰＵの制御により前記ＤＶＤから読出された動画情報または静止画情報あるいは前記ＲＯＭから読出された静止画情報を、モニタの画面に表示するための信号に変換する再生装置と、を備えており、
前記ＣＰＵは、前記ＤＶＤドライブを制御することにより、
所定の動画情報の読出を指令する読出指令信号に基づいて、前記ＤＶＤに前記所定の動画情報が記憶されているか否かを判定する第１判定処理と、
前記第１判定処理において否定判定した場合に、前記所定の動画情報により示される映像と類似した静止画を示す静止画情報が前記ＤＶＤに記憶されているか否かを判定する第２判定処理と、
前記第１判定処理または第２判定処理において肯定判定した場合に、前記第１判定処理または第２判定処理においてそれぞれ判定対象となった動画情報または静止画情報を前記ＤＶＤから読出すことができるか否かを判定する第３判定処理と、
前記第１および第３判定処理においてそれぞれ肯定判定した場合は、前記第１判定処理において判定対象となった動画情報を前記ＤＶＤから読出し、さらに、前記第２および第３判定処理においてそれぞれ肯定判定した場合は、前記第２判定処理において判定対象となった静止画情報を前記ＤＶＤから読出し、さらに、前記第３判定処理において否定判定した場合は、前記ＲＯＭから所定の静止画情報を読出す読出処理と、を実行することを特徴とする映像再生装置。
【発明の詳細な説明】
【０００１】
【発明の属する技術分野】
この発明は、映像を再生する映像再生装置であって、歌詞を示す歌詞テロップと、この歌詞テロップの背景に表示する背景映像とをモニタテレビに表示してカラオケを行うカラオケ装置において上記背景映像を再生する装置として好適なものに関する。
【０００２】
【従来の技術】
従来、上記カラオケ装置としては、たとえば、曲データを保有するサーバーから通信回線を介して曲データを受信し、この受信した曲データを再生する、いわゆる通信カラオケ装置が知られている。
この通信カラオケ装置には、選曲、曲データの受信および再生などを行う曲データ再生装置、曲の演奏およびマイクミキシングなどを行うアンプ、このアンプから出力される信号を音として再生するスピーカ、背景映像を再生する動画プレーヤ、歌詞テロップおよび背景映像を表示するモニタテレビ、マイクロフォンなどが備えられている。
【０００３】
動画プレーヤは、複数の背景映像が記憶されたＣＤ−ＲＯＭを再生する。ＣＤ−ＲＯＭには、背景映像が、曲のジャンルと対応付けられて記憶されている。また、曲データ再生装置により受信される曲データには、曲のジャンルを示すジャンルデータが含まれており、動画プレーヤは、そのジャンルデータにより示されるジャンルと対応付けられる背景映像をＣＤ−ＲＯＭから選択して再生する。この再生は、ジャンルに属する複数の背景映像の中から１つの背景映像をランダムに選択して行われる。１つの背景映像の再生時間は、背景映像によって異なるが、たとえば３０秒であり、動画プレーヤは、背景映像の選択および再生を曲の終了まで繰り返し実行する。
【０００４】
また、曲データ再生装置は、選曲された曲を示す曲データをサーバーから受信し、この受信した曲データに含まれるＭＩＤＩ(Musical Instrument Digital Interface)データをＭＩＤＩ音源に書込み、ＭＩＤＩ音源から発生する信号は、アンプおよびスピーカにより再生される。
さらに、曲データ再生装置は、曲データに含まれる歌詞テロップデータを映像信号に変換し、この変換された映像信号は、モニタテレビに歌詞テロップとして表示される。
【０００５】
【発明が解決しようとする課題】
ところで、アニメーションの主題歌および挿入歌など、映像と曲とが密接不可分の関係にある曲を歌う場合は、その映像以外の映像を背景映像として再生しても意味がない。
しかし、複数のアニメーションを背景映像として記憶させるとなると、他の背景映像の相当数を記憶できなくなるという問題がある。たとえば、再生時間が２分３０秒のアニメーションを４曲分記憶すると、再生時間が３０秒の背景映像が２０個分犠牲になる。また、アニメーション専用のＣＤ−ＲＯＭを設けることも考えられるが、コストがかかるため望ましくない。
さらに、ＣＤ−ＲＯＭの盤面の汚れなどにより、背景映像データを読取ることができないため、予定した背景映像を再生できない場合がある。
【０００６】
そこで、本発明は、静止画を記憶して再生できるようにすることにより、再生できる映像の種類を増加させ、かつ、再生すべき映像を映像情報記憶手段から読出すことができない場合に所定の静止画を再生できる映像再生装置の実現を目的とする。
【０００７】
【課題を解決するための手段】
本発明は、上記目的を達成するため、請求項１に記載の発明では、動画を示す動画情報および静止画を示す静止画情報が記憶されたＤＶＤから動画情報または静止画情報を読出すＤＶＤドライブと、静止画情報が記憶されたＲＯＭと、前記ＤＶＤドライブおよびＲＯＭを制御するＣＰＵと、前記ＣＰＵの制御により前記ＤＶＤから読出された動画情報または静止画情報あるいは前記ＲＯＭから読出された静止画情報を、モニタの画面に表示するための信号に変換する再生装置と、を備えており、前記ＣＰＵは、前記ＤＶＤドライブを制御することにより、所定の動画情報の読出を指令する読出指令信号に基づいて、前記ＤＶＤに前記所定の動画情報が記憶されているか否かを判定する第１判定処理と、前記第１判定処理において否定判定した場合に、前記所定の動画情報により示される映像と類似した静止画を示す静止画情報が前記ＤＶＤに記憶されているか否かを判定する第２判定処理と、前記第１判定処理または第２判定処理において肯定判定した場合に、前記第１判定処理または第２判定処理においてそれぞれ判定対象となった動画情報または静止画情報を前記ＤＶＤから読出すことができるか否かを判定する第３判定処理と、前記第１および第３判定処理においてそれぞれ肯定判定した場合は、前記第１判定処理において判定対象となった動画情報を前記ＤＶＤから読出し、さらに、前記第２および第３判定処理においてそれぞれ肯定判定した場合は、前記第２判定処理において判定対象となった静止画情報を前記ＤＶＤから読出し、さらに、前記第３判定処理において否定判定した場合は、前記ＲＯＭから所定の静止画情報を読出す読出処理と、を実行するという技術的手段を採用する。
【０００８】
【０００９】
【００１０】
【００１１】
【００１２】
【００１３】
【００１４】
【作用】
請求項１に記載の発明では、動画情報ばかりでなく、動画情報よりも情報量の少ない静止画情報をも記憶したＤＶＤを再生できるため、動画情報ばかりを記憶したＤＶＤを再生する場合よりも数多くの映像を再生することができる。
【００１５】
たとえば、後述する発明の実施の形態に記載するように、カラオケ装置に備えられた映像再生装置たるＤＶＤプレーヤにおいて、複数のアニメーションの静止画を映像情報記憶手段たるＤＶＤに記憶しておき、所定のアニメーションの主題歌や挿入歌などが選曲された場合に、その所定のアニメーションの静止画をＤＶＤから読出して再生することができる。
【００１６】
また、所定の動画情報の読出を指令する読出指令信号に基づいて読出すべき所定の動画情報がＤＶＤに記憶されていない場合は、ＤＶＤから所定の静止画情報を読出すことができる。
つまり、再生すべき動画情報をＤＶＤから読出すことができないことにより、映像情報が何も再生されないという事態をなくすことができる。
たとえば、後述する発明の実施の形態に記載するように、再生すべきアニメーションの動画をＤＶＤから読出すことができない場合に、その読出すことができない動画に代えてそのアニメーションの静止画を読出して再生できるため、選曲したアニメーションの主題歌や挿入歌などを歌う場合に、そのアニメーションを示す映像が何も再生されないという事態をなくすことができる。
【００１７】
【００１８】
また、読出すべき動画情報または静止画情報がＤＶＤに記憶されているにも拘わらず、所定の原因によりＤＶＤから読出すことができない場合は、ＲＯＭから所定の静止画情報を読出すことができる。
したがって、所定の原因により、再生すべき映像情報をＤＶＤから読出すことができないことにより、映像情報が何も再生されないという事態をなくすことができる。
たとえば、後述する発明の実施の形態に記載するように、背景映像が記憶されたＤＶＤのディスク面が汚れていることにより、再生を指定した背景映像を読出すことができない場合であっても、その背景映像に代えて所定の静止画を読出して再生できるため、背景映像が何も再生されないという事態をなくすことができる。
【００１９】
特に、読出すべき動画情報をＤＶＤから読出すことができない場合にＤＶＤから読出す静止画情報により示される静止画は、上記読出すべき動画情報により示される映像と類似しているため、上記読出すべき動画情報により示される動画を見ようとしていた者は、その動画と非類似の静止画を見る場合よりも、違和感なく静止画を見ることができる。
たとえば、後述する発明の実施の形態に記載するように、あるアニメーションの動画がＤＶＤに記憶されていない場合に、その動画の１シーンを示す静止画を再生することにより、カラオケする者は、その静止画を見ながら違和感なく歌うことができる。
【００２０】
【００２１】
なお、ＣＤ−ＲＯＭやＤＶＤなどは、動画をＭＰＥＧ規格という動画圧縮のための国際規格に基づいて記憶する。
【００２２】
また、請求項１に記載の映像再生装置は、映像再生装置により映像情報が再生される際に所定の楽曲情報を再生する楽曲情報再生手段とが備えられた楽音再生装置に好適に用いられる。
つまり、たとえば、楽音再生装置たるカラオケ装置では、指定した背景映像がモニタテレビに表示されないと、カラオケをする者が興ざめするという問題があるが、上記映像再生装置をカラオケ装置における背景映像装置に適用することにより、表示されない背景映像に代えて所定の静止画をモニタテレビに表示できるため、上記問題を解決することができる。この理由により、請求項１に記載の映像再生装置は、上記楽曲情報再生手段が備えられた楽音再生装置に好適に用いられる。
【００２３】
【発明の実施の形態】
以下、本発明の映像再生装置の一実施形態について図を参照して説明する。
なお、以下の実施形態では、映像再生装置として、曲データを保有するサーバーと通信回線で接続され、そのサーバーから通信回線を介して曲データを受信して再生する、いわゆる通信カラオケ装置に用いられる背景映像再生装置を代表に説明する。また、その背景映像再生装置として、ＤＶＤ(Digital Video Disc)を再生するＤＶＤプレーヤを代表に説明する。
【００２４】
まず、本実施形態のＤＶＤプレーヤが備えられたカラオケ装置の主要構成について、それを示す図１を参照して説明する。
図１に示すように、カラオケ装置１０には、歌詞を示す歌詞テロップ、歌詞テロップの背景に表示する背景映像、選曲番号を示す映像などを表示するモニタテレビ（以下、モニタと略称する）１２と、歌唱者用のモニタ１４とが備えられている。また、カラオケ装置１０には、本発明の映像情報たる背景映像データが記憶されたＤＶＤを再生するＤＶＤプレーヤ６が備えられている。
【００２５】
さらに、カラオケ装置１０には、楽曲たるカラオケ用の曲（以下、曲と略称する）の選曲と、選曲された曲の歌詞テロップおよび曲の演奏部分を示す演奏データなどから構成される、本発明の楽曲情報たる曲データの通信ケーブル１５を介しての受信、曲の再生の予約、ならびに、モニタ１２，１４に表示される映像の切替え、合成などを行う装置（以下、コマンダと称する）２０と、マイクロフォン１７，１８とが備えられている。
【００２６】
また、カラオケ装置１０には、マイクロフォン１７，１８から入力される音声と曲とのミキシング、音声と曲との音量バランス、エコー調整、ディレイ調整、ミキシング信号の増幅、演奏される曲の音程制御（キーコントロール）、高音、低音の制御（トーンコントロール）などを行うアンプ１６と、このアンプ１６から出力される増幅信号を音として再生する１組のスピーカ１３，１３と、コマンダ２０を遠隔操作する送信器７０とが備えられている。
【００２７】
次に、コマンダ２０の構成および機能について図２を参照して説明する。
図２（Ａ）は、コマンダ２０の前面パネルの説明図であり、同図（Ｂ）は、コマンダ２０の背面パネルの説明図である。
図２（Ａ）に示すように、コマンダ２０の前面パネルには、選曲する曲の選曲番号の入力などを行うための０〜９のボタンからなるテンキー２１と、選曲を確定するための選曲ボタン２２とが設けられており、テンキー２１の上方には、選曲された曲の選曲番号を６桁の数字でＬＥＤ表示する選曲番号表示体２３が設けられている。
【００２８】
また、選曲番号表示体２３の左方には、演奏が予約されている曲の数をＬＥＤ表示する予約曲数表示体２４が設けられており、その下方には、予約の取消を行うための取消しボタン２５と、演奏を停止させる演奏停止ボタン２６と、歌っている途中で最初から歌い直すための歌い直しボタン２７と、予約曲の間に割り込んで予約するための割り込みボタン２８とが設けられている。さらに、前面パネルの左上には、送信器７０から送信される光信号を受信する受信部３８が設けられており、左下には、コマンダ２０の電源を立ち上げる電源ボタン３９が設けられている。
【００２９】
また、テンキー２１の右方には、演奏のキーを低くするフラットキー２９と、キーを標準にする標準キー３０と、キーを高くするシャープキー３１とが設けられており、それらキーの下方には、ボーカルのメロディーラインの音量を設定するボーカルボタン３２と、２コーラス目までを再生する２コーラスカットボタン３３と、曲の後奏部分をカットする後奏カットボタン３４とが設けられている。さらに、それらボタンの下方には、カラオケを行うモードとカラオケを行わないモードとに切り替えるカラオケ切替ボタン３５と、通信ケーブル１５を介して入力されるデータを曲データからＢＧＭ、有線放送、テレビ放送などに切り替える入力切替ボタン３６と、モニタ１２，１４の表示をサーバーなどが提供しているサービス情報の表示に切り替えるサービスボタン３７とが設けられている。
【００３０】
また、図２（Ｂ）に示すように、コマンダ２０の背面パネルには、各地域に設置されたサーバー２（図３参照）と通信を行うための通信ケーブル１５を接続する通信端子４０が設けられており、この通信端子４０の右側には、ＤＶＤプレーヤ６の制御回路６３（図４参照）に接続されたプラグ６８を接続するためのコネクタ６９が設けられている。このコネクタ６９の右側には、ＤＶＤプレーヤ６の映像出力端子６７（図４参照）を接続するための映像入力端子５８が設けられている。この映像入力端子５８の右側には、モニタ１２の映像入力端子（図示省略）と接続される映像出力端子４２と、モニタ１４の映像入力端子（図示省略）と接続される映像出力端子４３とが設けられており、この映像出力端子４３の右側には、アンプ１６の音声入力端子と接続するための音声出力端子４１が設けられている。
【００３１】
次に、上記コマンダ２０の制御系の構成について図３および図６（Ａ）を参照して説明する。
図３は、コマンダ２０の制御系の主要構成をブロックで示す説明図であり、図６（Ａ）は、曲データの主要構成をブロックで示す説明図である。
最初に、曲データの主要構成について図６（Ａ）を参照して説明する。
曲データ１３０は、再生する背景映像の種類や再生順序などの再生スケジュールを指示する再生方法指示コマンド１６０、歌詞テロップ（字幕）を示す歌詞テロップデータ１３２、曲の演奏部分を示す演奏データ１３３などから構成される。演奏データ１３３は、ＭＩＤＩデータで構成される。
【００３２】
次に、コマンダ２０の制御系の主要構成について図３を参照して説明する。
コマンダ２０には、選曲、サーバー２に対する曲データ１３０の送信要求、曲データ１３０の受信、ＤＶＤプレーヤ６に対する各種コマンドの送信、曲の演奏順序の予約、音声制御、映像制御などをプログラムにしたがって行うＣＰＵ４５が備えられている。また、ＣＰＵ４５には、ＣＰＵ４５により実行されるプログラムなどが記憶されたＲＯＭ４６と、受信した曲データ１３０、送信器７０から送信されたデータ、選曲された曲の選曲番号を示す選曲番号データ、予約された曲の選曲番号データなどを一時保存するためのＲＡＭ４７とが接続されている。
【００３３】
また、ＣＰＵ４５には、歌詞テロップを構成する文字、選曲番号、カラオケ装置１０の動作状態などを示す文字をモニタ１２，１４に表示するためのフォントデータが記憶されたフォントＲＯＭ４４と、このフォントＲＯＭ４４から読出され、ビットマップデータに展開されたデータを一時記憶するビデオＲＡＭ４８と、サーバー２から通信ケーブル１５および通信端子４０を介して曲データ１３０を受信するための通信用モデム４９とが接続されている。さらに、ＣＰＵ４５には、タイマ５３のカウントにしたがって曲データ１３０に含まれる演奏データ１３３を構成するＭＩＤＩデータをＭＩＤＩ音源５２へ書き込む制御を行うシーケンサ５１と、ＭＩＤＩ音源５２から出力される音源信号を入力してアンプ１６により増幅可能な信号に変換する音声制御回路５０が接続されている。
【００３４】
また、ＣＰＵ４５には、ＤＶＤプレーヤ６との間でコマンドなどの入出力を行うためのインターフェース５９が接続されている。さらに、ＣＰＵ４５には、ＤＶＤプレーヤ６からインターフェース５９を介して入力された背景映像信号をモニタ１２，１４により表示するための表示信号に変換したり、ビデオＲＡＭ４８から出力されるビットマップデータを歌詞テロップに変換したりする映像制御回路５４が接続されている。映像制御回路５４は、モニタ１２の表示画面を説明する図１８に示すように、背景映像３００の中に歌詞テロップ３０２がスーパーインポーズされるように制御を行う。また、映像制御回路５４は、曲の進行にしたがって歌詞テロップの色を変える制御も行う。
【００３５】
また、ＣＰＵ４５には、受信部３８により受信された光信号をデジタル信号に変換する変換回路５５と、コマンダ２０の前面パネルに設けられた各種ボタンを押したときに点灯するＬＥＤ、選曲番号表示体２３および予約曲数表示体２４へ表示信号を出力する表示回路５６と、上記各種ボタンを押したときに発生するスイッチング信号を入力する入力回路５７とが接続されている。
【００３６】
次に、ＤＶＤプレーヤ６の構成および機能について、それをブロックで示す図４を参照して説明する。
ＤＶＤプレーヤ６には、背景映像を示す背景映像データが記憶されたＤＶＤ６１Ａから背景映像データを読出すＤＶＤドライブ６１と、同じく背景映像データが記憶されたＤＶＤ６２Ａから背景映像データを読出すＤＶＤドライブ６２とが内蔵されている。両ＤＶＤドライブ６１、６２には、図示しないディスク回転用のモータ、モータ駆動回路、ディスク面に光線を照射してディスクに記憶された背景映像データを読取る読取ヘッドなどがそれぞれ設けられている。
なお、ＤＶＤ６１ＡおよびＤＶＤ６２Ａが、本発明の映像情報記憶手段に相当する。
【００３７】
また、ＤＶＤプレーヤ６には、ＤＶＤ６１Ａ、６２Ａから読出された背景映像データを一時記憶するバッファメモリ６５と、バッファメモリ６５から出力される背景映像データ（ＭＰＥＧデジタルデータ）を入力してアナログの背景映像信号に変換するＭＰＥＧデコーダ回路６６とが内蔵されている。
さらに、ＤＶＤプレーヤ６には、ＤＶＤ６１Ａ、ＤＶＤ６２Ａから背景映像データを読出す制御などを行うＣＰＵ６４を備えた制御回路６３と、映像管理テーブル用メモリ６０とが内蔵されている。映像管理テーブル用メモリ６０には、ＤＶＤ６１Ａ、６２Ａに記憶されている背景映像データのファイル名をジャンルおよびキーワードと対応付けてテーブル形式で記憶して管理する背景映像ファイルテーブル（図８参照）などが記憶される。背景映像ファイルテーブルなどは、ＤＶＤ６１Ａ、または、６２Ａに記憶されており、ＤＶＤプレーヤ６の電源が立ち上げられた際に読出され、映像管理テーブル用メモリ６０に記憶される。
【００３８】
ＤＶＤ６１Ａ、６２Ａには、それぞれ多く（たとえば、３２，０００個）の背景映像がＭＰＥＧ２ビデオ方式で圧縮されて記憶されている。また、各背景映像は、演歌、ポップス、アニメーションなど、曲のジャンル別に記憶されており、１つの背景映像の再生時間は背景映像ごとに異なるが、たとえば、演歌、ポップスでは３０秒であり、アニメーションでは１２０秒である。ここで、ＭＰＥＧとは、Moving Picture Experts Groupの略であり、動画像およびこれに関連するオーディオなどの情報圧縮の国際標準規格を指す。
なお、本実施形態では、映像管理テーブル用メモリ６０には、ＲＡＭなどの書換可能な記憶媒体が用いられる。また、バッファメモリ６５およびＭＰＥＧデコーダ回路６６が、本発明の再生装置として機能する。
【００３９】
ここで、映像管理テーブル用メモリ６０の記憶内容について図７ないし図１３を参照して説明する。
映像管理テーブル用メモリ６０には、図８に示す背景映像ファイルテーブル１００が記憶されている。背景映像ファイルテーブル１００には、背景映像のジャンル、および背景映像の内容の一部を示すキーワードを特定するジャンルキーワード数値１０１と、背景映像のファイル名を示すファイル名データ１０２と、静止画および動画のいずれであるかを示す静止画判別データ１０３とが対応付けてテーブル形式で複数組設定されている。
なお、静止画のファイルは、静止画判別データ１０３が「１」である。
【００４０】
ジャンルキーワード数値１０１は、１６進数で登録されており、そのビット構成を説明する図１０（Ａ）に示すように、０ビットから３ビットまでが第２キーワードを示し、４ビットから７ビットまでが第１キーワードを示し、８ビットから１１ビットまでがジャンルを示す。
たとえば、ジャンルキーワード数値１０１が「０２０Ｈ」の背景映像は、ジャンルが「０」であり、第１キーワードが「２」であり、第２キーワードが「０」である背景映像である。
【００４１】
ジャンルの「０」は、ジャンル名、数値および分類との対応関係を説明する図１０（Ｂ）に示すように、ジャンル名が「Ａ」で「演歌一般」という分類に属することを示し、第１キーワードの「２」は、ジャンルＡと第１キーワードとの対応関係を説明する図１１（Ａ）に示すように、「港／船」というキーワードであることを示す。
つまり、ジャンルキーワード数値１０１が「０２０Ｈ」である背景映像の中には、港に停泊する船が登場するシーンが存在することを示す。
また、第２キーワードの「０」は、第１キーワード「港／船」に対する第２キーワードの割り当てを説明する図１２（Ａ）に示すように、「和服」というキーワードであることを示す。
【００４２】
つまり、ジャンルキーワード数値１０１が「０２０Ｈ」である背景映像の中には、港に停泊する船が登場するシーンに加えて、和服の女性が登場するシーンが存在することを示す。
なお、図１１（Ｂ）は、ジャンルＤと第１キーワードとの対応関係を示す説明図であるが、その他のジャンルについても図示しないが同様に第１キーワードとの対応関係が定められている。また、図１２（Ｂ）は、第１キーワード「田舎」に対する第２キーワードの割り当てを示す説明図であり、同図（Ｃ）は、第１キーワード「雑踏」に対する第２キーワードの割り当てを示す説明図であるが、その他の第１キーワードについても図示しないが同様に第２キーワードとの対応関係が定められている。
【００４３】
以上のように、背景映像ファイルテーブル１００には、１つのファイル名に対して３つの特定情報が対応付けて登録されている。このため、従来のように、ジャンルという大きな概念で背景映像を指定することもできる他、ジャンルにキーワードを加えることにより、同じジャンルの中の特定の背景映像を指定することもできる。
【００４４】
また、映像管理テーブル用メモリ６０には、図９（Ａ）に示す番組情報ファイルテーブル１１０が記憶されている。ここに、番組情報とは、アニメーションや映画など、アニメーションや映画の主題歌や挿入歌などを歌う場合にのみ再生される背景映像を意味する。番組情報ファイルテーブル１１０には、番組番号データ１１１と、ファイル名データ１１２と、静止画判別データ１１３とが対応付けてテーブル形式で複数組設定されている。番組番号データ１１１は、上記ジャンルキーワード数値１０１と同様に１６進数で設定されており、その構成は、ジャンルキーワード数値１０１と同じである。
【００４５】
たとえば、図９（Ａ）および図１３に示すように、番組番号データ１１１が「２８ＡＨ」で特定される背景映像は、「鉄人アトム」というアニメーションの背景映像である。また、番組番号データ１１１が「２８ＢＨ」で特定される背景映像は、「鉄人アトム」というアニメーションの１シーンの静止画を示す。さらに、番組番号データ１１１が「ＦＦＥＨ」で特定される背景映像は、「札幌時計台」を映した背景映像である。
【００４６】
さらに、映像管理テーブル用メモリ６０には、図９（Ｂ）に示す親ジャンルテーブル１２０が記憶されている。ここに、親ジャンルとは、図１０（Ｂ）に示したＡからＰまでの各ジャンルが属する大きなジャンルを意味する。親ジャンルテーブル１２０には、ジャンル分類およびその数値を示すジャンル分類データ１２１と、親ジャンルおよびその数値を示す親ジャンルデータ１２２とが対応付けてテーブル形式で設定されている。
たとえば、ジャンル分類データ１２１が「Ａ（０）」で示されるジャンルは、「Ｂ（１）」という親ジャンルに属する。
つまり、図１０（Ｂ）に示すように、「Ａ（０）」なる演歌一般というジャンルは、「Ｂ（１）」なる演歌冬という親ジャンルに属する。
【００４７】
そしてさらに、映像管理テーブル用メモリ６０には、図７に示す再生指示テーブル９０が記憶されている。ここに、再生指示テーブルとは、ある曲が選曲された場合に選択される背景映像および再生順序を設定するテーブルを意味する。つまり、背景映像の再生スケジュールを意味する。
再生指示テーブル９０は、再生順序を示す順序データ９１と、再生指示内容を示す再生指示データ９２とが対応付けて設定されている。再生指示テーブル９０に登録される再生指示データ９２は、サーバー２からコマンダ２０へ送信される曲データ１３０を構成する再生方法指示コマンド１６０、１７０に含まれており、コマンダ２０からＤＶＤプレーヤ６へ送信される。そのコマンドの構成を図６（Ｄ）および（Ｅ）に示す。
【００４８】
図６（Ｄ）は、番組番号により番組情報を示す背景映像を特定するコマンドの構成を示し、同図（Ｅ）は、ジャンルおよびキーワードにより背景映像を特定するコマンドの構成を示す。各コマンドは、ＡＳＣＩＩコードで表され、アルファベット２６文字、数字、幾つかの記号文字で構成される。「ＰＲＯＧ」は、再生指示テーブル９０への登録指示を意味し、［ＣＲ］は、コマンドの終わりを意味する。
【００４９】
図６（Ｄ）に示す再生方法指示コマンド１６０は、「ＰＲＯＧ：２８ＡＨ［ＣＲ］」という再生指示方法を示している。ここで、１文字目の「Ｐ」は、Ｐに付されているデータが、番組番号を指定するものであることを示す。再生方法指示コマンド１６０は、コマンダ２０からＤＶＤプレーヤ６へ送信され、再生方法指示コマンド１６０に示されるデータは、図７（Ａ）に示すように再生指示テーブル９０に登録される。ここに、「２８Ａ」は、「鉄人アトム」というアニメーションの背景映像を指定することを示す（図１３参照）。
つまり、図７（Ａ）に示す再生指示テーブル９０に登録された再生指示方法により、「鉄人アトム」というアニメーションの背景映像が再生される。
【００５０】
また、図６（Ｅ）に示す再生方法指示コマンド１７０は、「ＰＲＯＧ：Ｇ０２０：Ｇ０２Ａ：Ｇ０９４：Ｇ０２４：Ｇ０５０：Ｇ０５４：Ｇ０７４：Ｇ０２３［ＣＲ］」という再生指示方法を示している。ここで、１文字目の「Ｇ」は、Ｇに付されている３桁の数字が、ジャンルおよびキーワードを指定するものであることを示し、２〜４文字目の３桁の数字は、ジャンルおよびキーワードを示す。
再生方法指示コマンド１７０も、コマンダ２０からＤＶＤプレーヤ６へ送信され、再生方法指示コマンド１６０に示される各データは、図７（Ｂ）に示すように先頭のデータ「Ｇ０２０」から順番に再生指示テーブル９０に登録される。
【００５１】
ここに、「０２０」は、ジャンルが「演歌一般」であり（図１０（Ｂ）参照）、第１キーワードが「港／船」であり（図１１（Ａ）参照）、第２キーワードが「和服」（図１２（Ａ）参照）で特定される背景映像を指定することを示す。また、「０２Ａ」は、ジャンルが「演歌一般」であり、第１キーワードが「港／船」であり、第２キーワードが「建物」で特定される背景映像を指定することを示す。
つまり、図７（Ｂ）に示す再生指示テーブル９０に登録された再生スケジュールにより、最初に「演歌一般・港／船・和服」で特定される背景映像が再生され、２番目に「演歌一般・港／船・建物」で特定される背景映像が再生される。
なお、再生方法指示コマンド１６０、１７０が、本発明の読出指令信号に相当する。
【００５２】
次に、送信器７０の構成についてその外観を示す図５を参照して説明する。
図５に示すように、送信器７０の上面上方には、選曲番号をバックライト付きの液晶で表示する選曲番号表示体７１が設けられており、その下方には、コマンダ２０のカラオケ切替ボタン３５と同じ作用をするカラオケ切替ボタン７２と、コマンダ２０の入力切替ボタン３６と同じ作用をする外部映像ボタン７３と、サーバー２が用意しているテレビゲームを行う状態に切替えるゲームボタン７４とが設けられている。
【００５３】
また、それらボタンの下方には、曲間や曲の再生終了後に拍手や歓声の音を再生するように設定するための拍手ボタン７５と、コマンダ２０に設けられたキーと同じ作用をするフラットキー７６と、シャープキー７７とが設けられており、それらの下方には、コマンダ２０に設けられたものと同じ作用をするテンキー７８と、選曲ボタン７９と、演奏停止ボタン８０と、歌い直しボタン８１と、取り消しボタン８２と、割り込みボタン８３とが設けられている。さらに、割り込みボタン８３の右には、ボーカルメロディーの音量を小さくするマイナスボタン８４と、音量を大きくするプラスボタン８５とが設けられている。
なお、上記各ボタン、または、キーを押すと、その押されたボタン、または、キーの種類を示す光信号が、送信器７０の先端に形成された送信窓８６から送信される。
【００５４】
次に、カラオケ装置１０の一連の動作について図１４ないし図１６を参照して説明する。
図１４は、選曲から曲が演奏されるまでのＣＰＵ４５の処理内容を示すフローチャートであり、図１５は、コマンダ２０から送信されたコマンドの解析処理を行うためにＤＶＤプレーヤ６のＣＰＵ６４により実行されるコマンド解析タスクのフローチャートである。図１６は、ＣＰＵ６４により実行されるＤＶＤを再生するためのＤＶＤ再生タスクのフローチャートである。
なお、ここでは、アニメーションの主題歌や挿入歌を選曲する場合を代表に説明する。
【００５５】
まず、カラオケ装置１０の利用者が、送信器７０の送信窓８６をコマンダ２０に向けて歌いたい曲の選曲番号に対応するテンキー７８を押すと、その押す毎にテンキー７８に対応する数字が選曲番号表示体７１，２３およびモニタ１２，１４に順次表示される。
続いて、最後の数字のテンキー７８を押してから選曲ボタン７９を押すと、選曲が終了したと判定され（ステップ１００）、その選曲された曲の曲データ１３０の送信を要求するリクエスト信号が通信ケーブル１５を介してサーバー２へ送信される（ステップ１２０）。
【００５６】
そして、サーバー２は、複数の曲データが記憶されたハードディスクドライブ（以下、ＨＤＤと称する）１１から上記リクエスト信号に示される選曲番号に対応する曲データ１３０を検索して読出し、その読出された曲データ１３０は、通信ケーブル１５を介してコマンダ２０の通信端子４０を経て通信用モデム４９により受信される（ステップ１４０）。続いて、その受信された曲データ１３０は、通信用モデム４９から出力され、ＲＡＭ４７に一時保存される（ステップ１６０）。続いて、ＲＡＭ４７から曲データ１３０が読出され（ステップ１８０）、この読出された曲データ１３０に含まれる再生方法指示コマンド１６０は、インターフェース５９を介してＤＶＤプレーヤ６へ送信される（ステップ２００）。
【００５７】
ここで、コマンダ２０から送信されるコマンドを解析するためにＣＰＵ６４が実行するコマンド解析タスクの内容を図１５を参照して説明する。
ＣＰＵ６４は、コマンダ２０から送信されたコマンドを受信すると（ステップ２０２）、その受信したコマンドの種類が、再生方法指示コマンド１６０、背景映像の再生開始を指示する再生開始コマンド１４０（図６（Ｂ）参照）および背景映像の再生停止を指示する再生停止コマンド１５０（図６（Ｃ）参照）のうち、いずれのコマンドであるかを判定する（ステップ２０４）。ここでは、受信したコマンドは、再生方法指示コマンド１６０であるため、ステップ２０６へ進む。
ステップ２０６では、受信した再生方法指示コマンド１６０により示される再生指示内容（２８ＡＨ）を再生指示テーブル９０に登録する（図７（Ａ）参照）。
【００５８】
次に、ＣＰＵ４５から再生開始コマンド１４０がＤＶＤプレーヤ６へ送信されると（図１４のステップ２１２）、ＣＰＵ６４は、その送信された再生開始コマンド１４０を受信し（図１５のステップ２０２）、その受信したコマンドの種類を判定する（ステップ２０４）。ここでは、受信したコマンドは、再生開始コマンド１４０であるためステップ２０８へ進み、再生開始メッセージがＤＶＤ再生タスクに送られる。
【００５９】
次に、ＣＰＵ６４により実行されるＤＶＤ再生タスクについて図１６を参照して説明する。
まず、ＣＰＵ６４は、再生開始メッセージを受信すると（ステップ２１４：Ｙｅｓ）、再生指示テーブル９０に登録されている再生指示データ「２８ＡＨ」により示されるジャンルキーワードを有するファイル名が、番組情報ファイルテーブル１１０に登録されているか検索する（ステップ２１６）。続いて、ＣＰＵ６４は、その検索の結果、再生指示データ「２８ＡＨ」により示されるジャンルキーワードを有するファイル名が見付かった場合は（ステップ２１８：Ｙｅｓ）、そのファイル名に対応する背景映像データをＤＶＤから読出す（ステップ２２２）。
【００６０】
ここでは、図９（Ａ）に示すように、再生指示データ「２８ＡＨ」により示されるジャンルキーワードを有するファイル名「Ｅ４５８．ＶＯＢ」が番組情報ファイルテーブル１１０に記憶されているため、ファイル名「Ｅ４５８．ＶＯＢ」に対応する背景映像データをＤＶＤ６１Ａ、または、ＤＶＤ６２Ａから読出す（ステップ２２２）。
また、ステップ２１６における検索の結果、上記ファイル名がなかった場合は（ステップ２１８：Ｎｏ）、検索を行ったファイル名の背景映像と類似する映像の静止画のファイル名が番組情報ファイルテーブル１１０に記憶されていないか検索し（ステップ２２６）、ファイル名があった場合は（ステップ２２８：Ｙｅｓ）、そのファイル名に対応する背景映像データをＤＶＤ６１Ａ、または、ＤＶＤ６２Ａから読出す（ステップ２２２）。
【００６１】
ここでは、図９（Ａ）および図１３に示すように、番組番号「２８ＢＨ」および「２８ＣＨ」のファイルが、それぞれ「鉄人アトム静止画１」、「鉄人アトム静止画２」として記憶されているため（ステップ２２８：Ｙｅｓ）、それら両ファイルの一方をランダムに選択し、そのファイルの背景映像データをＤＶＤ６１Ａ、または、ＤＶＤ６２Ａから読出す（ステップ２２２）。
また、ステップ２２６において、静止画が検索されなかった場合は（ステップ２２８：Ｎｏ）、ステップ２３０へ進み、予備の静止画を検索し、その背景映像データをＤＶＤ６１Ａ、または、ＤＶＤ６２Ａから読出す（ステップ２２２）。たとえば、上記「鉄人アトム静止画１」および「鉄人アトム静止画２」の両静止画が検索されなかった場合は、番組情報ファイルテーブル１１０に予備静止画のファイル名として登録されている番組番号「２８ＤＨ」、ファイル名「Ｆ００１．ＶＯＢ」の予備アニメ映像をＤＶＤ６１Ａ、または、ＤＶＤ６２Ａから読出す。
【００６２】
続いて、その読出された背景映像データは、図４に示すバッファメモリ６５に一時保存された後に、ＭＰＥＧデコーダ回路６６へ出力され、このＭＰＥＧデコーダ回路６６によって背景映像信号に変換される。
そして、ＭＰＥＧデコーダ回路６６から出力された背景映像信号は、映像出力端子６７を介してコマンダ２０の映像入力端子５８を経て映像制御回路５４に入力される。この入力された映像信号は、映像制御回路５４により、モニタ１２，１４に表示するための映像信号に変換され、映像出力端子４２，４３を介してモニタ１２，１４へ出力され、図１９に示すように、背景映像３００が表示される。
【００６３】
ところで、再生指示テーブル９０に登録された再生指示データに基づいて背景映像を再生するまでの過程を説明したが、実際には、最初の背景映像が再生される際に曲が演奏され、歌詞テロップがモニタ１２，１４に表示される。
以下、曲データ１３０を構成する歌詞テロップデータ１３２および演奏データ１３３（図６（Ａ））の再生などについて図１４を参照して説明する。
コマンダ２０のＲＡＭ４７から読出された曲データ１３０に含まれる演奏データ１３３を構成するＭＩＤＩデータは、シーケンサ５１に取り込まれ、タイマ５３のカウントにしたがってＭＩＤＩ音源５２に書き込まれる。そして、ＭＩＤＩ音源５２から出力される音源信号は、音声制御回路５０へ出力され、アンプ１６により増幅可能な音楽信号に変換され、この変換された音楽信号は、アンプ１６へ出力される。そして、その出力された音楽信号は、アンプ１６で設定された音量に増幅された後にスピーカ１３，１３へ出力され、スピーカ１３，１３によって演奏音として再生される（ステップ２４０）。
【００６４】
また、曲データ１３０に含まれる歌詞テロップデータ１３２に対応するフォントデータが、フォントＲＯＭ４４から読み出され、この読出されたフォントデータはビットマップデータに展開され、ビデオＲＡＭ４８に保存される。続いて、そのビットマップデータは、映像制御回路５４へ出力されるとともに、その映像制御回路５４により、モニタ１２，１４に表示可能な表示信号に変換され、図１８に示すように、モニタ１２，１４に歌詞テロップ３０２が表示される。（ステップ２６０）
【００６５】
また、マイクロフォン１７，１８から入力された音声信号は、アンプ１６において上記音楽信号とミキシングされ、このミキシングされたミキシング信号は、音声出力端子４１からアンプ１６へ出力される。そして、その出力されたミキシング信号は、アンプ１６で設定された音量に増幅された後にスピーカ１３，１３へ出力され、スピーカ１３，１３によってミキシング音として再生される。
つまり、利用者は、自分の選んだ曲をモニタ１２，１４の画面に映し出された背景映像３００および歌詞テロップ３０２を見ながらマイクロフォン１７、または、マイクロフォン１８を通して歌う（カラオケする）ことができる。
【００６６】
そして、曲データ１３０の再生が終了すると（ステップ２８０：Ｙｅｓ）、背景映像の再生停止を指示する再生停止コマンド１５０（図６（Ｃ））がＤＶＤプレーヤ６へ送信される（ステップ３００）。ＤＶＤプレーヤ６は、再生停止コマンド１５０を受信すると（図１５のステップ２０２）、コマンドの種類を再生停止コマンドであると判定し（ステップ２０４）、再生停止メッセージをＤＶＤ再生タスクに送る（ステップ２１０）。続いて、ＣＰＵ６４は、ＤＶＤ再生タスクにおいて、再生停止メッセージを受け取ったことを判定し、次の再生開始メッセージを受け取るまで待機する（ステップ２１４：Ｎｏ）。
【００６７】
一方、ＣＰＵ４５は、ＲＡＭ４７に予約された選曲番号データが記憶されているかを判定し（図１４のステップ３２０）、記憶されている場合は（ステップ３２０：Ｙｅｓ）、その記憶されている選曲番号データをＲＡＭ４７から読出し（ステップ３４０）、ステップ１００ないしステップ３００を実行して予約曲を再生する。
【００６８】
以上のように、本第１実施形態のＤＶＤプレーヤ６によれば、再生を指示した背景映像がＤＶＤ６１Ａおよび６２Ａに記憶されていない場合であっても、その記憶されていない背景映像と類似する静止画を再生することができる。また、その類似する静止画も記憶されていない場合には、予備の静止画を再生することができる。
したがって、カラオケをする際に背景映像が何も再生されないという事態をなくすことができる。
なお、再生方法指示コマンド１７０にしたがって複数の背景映像を再生する際に、記憶されていない背景映像が存在する場合にも、上記ＣＰＵ６４により実行されるＤＶＤ再生タスクにより、その記憶されていない背景映像に代えて所定の静止画を再生することができる。
【００６９】
次に、本発明第２実施形態の映像再生装置について図１７のフローチャートを参照して説明する。
本第２実施形態の映像再生装置は、何らかの原因により、背景映像を読出すことができない場合に、故障時用の静止画を読出して再生できることを特徴とする。
図１７は、本第２実施形態の映像再生装置としてのＤＶＤプレーヤに備えられたＣＰＵにより実行されるＤＶＤ再生タスクを示すフローチャートである。
なお、ＤＶＤプレーヤの構成およびＣＰＵによるコマンド解析タスクは、上記第１実施形態のＤＶＤプレーヤ６と同一であるため説明を省略し、以下では、ＣＰＵ６４によるＤＶＤ再生タスクの処理内容についてのみ説明する。
【００７０】
ＣＰＵ６４は、コマンダ２０から再生開始メッセージを受け取ると（ステップ２１４：Ｙｅｓ）、再生指示テーブル９０に登録されている再生指示データにより示されるファイルを検索する（ステップ２１６）。そして、ファイルが検索された場合は（ステップ２１８：Ｙｅｓ）、そのファイルの背景映像データを読出すことができるかを判定し（ステップ２２０）、読出すことができる場合は（ステップ２２０：Ｙｅｓ）、その背景映像データをＤＶＤ６１Ａ、または、ＤＶＤ６２Ａから読出す（ステップ２２２）。
【００７１】
また、ステップ２２０において、背景映像データを読出すことができないと判定された場合は（ステップ２２０：Ｎｏ）、番組情報ファイルテーブル１１０から、番組番号「ＦＦＥＨ」、ファイル名「５６６６．ＶＯＢ」の故障時用静止画ファイル（図９（Ａ）、図１３参照）を検索し（ステップ２２４）、そのファイルの背景映像データをＤＶＤ６１Ａ、または、ＤＶＤ６２Ａから読出す（ステップ２２２）。
このように、本第２実施形態のＤＶＤプレーヤによれば、再生を指示された背景映像データが記憶されているファイルが存在しない、あるいは、ファイルが記憶されている部分のディスク面が汚れているなど、何らかの原因により、背景映像データを読出すことができない場合であっても、故障時用静止画を再生できるため、カラオケをする際に背景映像が何も再生されないという事態をなくすことができる。
なお、故障時用静止画は、ＤＶＤプレーヤ６内の専用のＲＯＭなどに記憶させておくこともできる。
【００７２】
次に、本発明第３実施形態の映像再生装置について図１８のフローチャートを参照して説明する。
本実施形態の映像再生装置たるＤＶＤプレーヤは、サーバー２に備えられており、サーバー２からコマンダ２０へ背景映像データを送信するために用いられる。
つまり、カラオケ装置側で再生する背景映像をサーバー側で管理するシステムに用いられる。
なお、ＤＶＤプレーヤの主要構成は、上記実施形態のＤＶＤプレーヤと同一であるため、説明を省略する。
【００７３】
このＤＶＤプレーヤは、ＤＶＤに記憶されているアニメーションが全体の背景映像に占める割合に応じてアニメーションの再生方法を自動的に設定できることを特徴とする。
アニメーションが記憶されたＤＶＤの種類としては、（１）アニメーションの主題歌や挿入歌などの１曲分のアニメーションが記憶されたアニメ強化盤、（２）動画の一部と静止画数枚が記憶されたアニメ中心盤、（３）アニメの静止画数枚が記憶された通常盤、（４）アニメの静止画が１枚記憶された演歌・ポップス強化盤の４種類がある。
【００７４】
そこで、ＤＶＤプレーヤに備えられたＣＰＵは、図１８に示すように、ディスクが交換されたと判定すると（ステップ５００：Ｙｅｓ）、新たにセットされたディスクの種類が上記４種類のうちのいずれであるかを判定する（ステップ５２０）。そして、上記（１）のアニメ強化盤である場合は、ＤＶＤに記憶されているアニメーションをそのまま再生する再生方法を設定し（ステップ５４０）、（２）のアニメ中心盤である場合は、ＤＶＤに記憶されている動画の一部を再生するとともに、３枚の静止画をそれぞれ１０秒再生する再生方法を設定する（ステップ５６０）。また、（３）の通常盤である場合は、記憶されている各静止画をそれぞれ１５秒再生する再生方法を設定し（ステップ５８０）、（４）の演歌・ポップス強化盤の場合は、記憶されている１枚の静止画を固定して再生する再生方法を設定する（ステップ６００）。
【００７５】
また、上記各再生方法は、ＤＶＤプレーヤ内のＲＡＭなどに記憶され、アニメーションの主題歌や挿入歌などが選曲された場合に、その記憶された再生方法にしたがってアニメーションの背景映像データが読出され、その背景映像データは、上記選曲を行ったコマンダへ送信され、そのコマンダに接続されたモニタに表示される。
このように、本第３実施形態のＤＶＤプレーヤによれば、ＤＶＤに記憶されているアニメーションが全体に占める割合に応じて最適な再生方法を自動的に設定することができる。
【００７６】
なお、上記各実施形態では、本発明の映像再生装置として、カラオケ装置で用いられるＤＶＤプレーヤを代表に説明したが、カラオケ装置以外で用いられるＤＶＤプレーヤなどにも適用することができる。
ところで、ＣＰＵ６４により実行される図１７のステップ２１８が本発明の第１判定処理として、ステップ２２８が第２判定処理として、ステップ２２０が第３判定処理として、ステップ２２２が読出処理としてそれぞれ機能する。
【００７７】
【発明の効果】
以上のように本発明によれば、動画情報ばかりでなく、動画情報よりも情報量の少ない静止画情報をも記憶したＤＶＤを再生できるため、動画情報ばかりを記憶したＤＶＤを再生する場合よりも数多くの映像を再生することができる。
また、所定の動画情報の読出を指令する読出指令信号に基づいて読出すべき所定の動画情報がＤＶＤに記憶されていない場合は、ＤＶＤから所定の静止画情報を読出すことができるため、再生すべき動画情報をＤＶＤから読出すことができないことにより、映像情報が何も再生されないという事態をなくすことができる。
さらに、読出すべき動画情報または静止画情報がＤＶＤに記憶されているにも拘わらず、所定の原因によりＤＶＤから読出すことができない場合は、ＲＯＭから所定の静止画情報を読出すことができるため、所定の原因により、再生すべき映像情報をＤＶＤから読出すことができないことにより、映像情報が何も再生されないという事態をなくすことができる。
特に、読出すべき動画情報をＤＶＤから読出すことができない場合にＤＶＤから読出す静止画情報により示される静止画は、上記読出すべき動画情報により示される映像と類似しているため、上記読出すべき動画情報により示される動画を見ようとしていた者は、その動画と非類似の静止画を見る場合よりも、違和感なく静止画を見ることができる。
【図面の簡単な説明】
【図１】  本発明実施形態のカラオケ装置の外観説明図である。
【図２】  （Ａ）は、カラオケ装置に備えられたコマンダの前面パネルの説明図であり、（Ｂ）は、コマンダの背面パネルの説明図である。
【図３】  コマンダの制御系の構成をブロックで示す説明図である。
【図４】  ＤＶＤプレーヤの構成および機能をブロックで示す説明図である。
【図５】  カラオケ装置に備えられた送信器の説明図である。
【図６】  （Ａ）は曲データの主要構成をブロックで示す説明図であり、（Ｂ）は再生開始コマンドの構成を表す説明図であり、（Ｃ）は再生停止コマンドの構成を表す説明図であり、（Ｄ）および（Ｅ）はそれぞれ再生方法指示コマンドの構成を表す説明図である。
【図７】  （Ａ）および（Ｂ）は、再生指示テーブルの構成を示す説明図である。
【図８】  背景映像ファイルテーブルの構成を示す説明図である。
【図９】  （Ａ）は番組情報ファイルテーブルの構成を示す説明図であり、（Ｂ）は親ジャンルテーブルの構成を示す説明図である。
【図１０】  （Ａ）はジャンルキーワード数値のビット構成を示す説明図であり、（Ｂ）はジャンル名、数値および分類との対応関係を示す説明図である。
【図１１】  （Ａ）はジャンルＡと第１キーワードとの対応関係を示す説明図であり、（Ｂ）はジャンルＡと第１キーワードとの対応関係を示す説明図である。
【図１２】  （Ａ）は第１キーワード「港／船」に対する第２キーワードの割り当てを示す説明図であり、（Ｂ）は第１キーワード「田舎」に対する第２キーワードの割り当てを示す説明図であり、（Ｃ）は第１キーワード「雑踏」に対する第２キーワードの割り当てを示す説明図である。
【図１３】  番組情報の割り当てを示す説明図である。
【図１４】  ＣＰＵ４５により実行される選曲から予約曲の再生までの制御内容を示すフローチャートである。
【図１５】  ＣＰＵ６４により実行されるコマンド解析タスクを示すフローチャートである。
【図１６】  本発明第１実施形態のＣＰＵ６４により実行されるＤＶＤ再生タスクを示すフローチャートである。
【図１７】  本発明第２実施形態のＣＰＵ６４により実行されるＤＶＤ再生タスクを示すフローチャートである。
【図１８】  本発明第３実施形態のＣＰＵにより実行される再生方法選択処理を示すフローチャートである。
【図１９】  モニタ１２の表示画面を説明する説明図である。
【符号の説明】
６            ＤＶＤプレーヤ
１０            カラオケ装置
１３            スピーカ
１２，１４      モニタ
１５            通信ケーブル
１６            アンプ
１７，１８      マイク
２０            コマンダ
４５，６４      ＣＰＵ
６０            映像管理テーブル用メモリ
６１，６２      ＤＶＤドライブ
６１Ａ，６２Ａ  ＤＶＤ
７０            送信器
９０            再生指示テーブル
１００            背景映像ファイルテーブル
１１０            番組情報ファイルテーブル
１２０            親ジャンルテーブル
１３０            曲データ
１４０            再生開始コマンド
１５０            再生停止コマンド
１６０，１７０    再生方法指示コマンド
３００            背景映像
３０２            歌詞テロップ
【図１】
0003899595.tif 000002
【図２】
0003899595.tif 000003
【図３】
0003899595.tif 000004
【図４】
0003899595.tif 000005
【図５】
0003899595.tif 000006
【図６】
0003899595.tif 000007
【図７】
0003899595.tif 000008
【図８】
0003899595.tif 000009
【図９】
0003899595.tif 000010
【図１０】
0003899595.tif 000011
【図１１】
0003899595.tif 000012
【図１２】
0003899595.tif 000013
【図１３】
0003899595.tif 000014
【図１４】
0003899595.tif 000015
【図１５】
0003899595.tif 000016
【図１６】
0003899595.tif 000017
【図１７】
0003899595.tif 000018
【図１８】
0003899595.tif 000019
【図１９】
0003899595.tif 000020